(57)【要約】【課題】  医療従事者が巡回した際に家族と直接話す機会を多くすることを目的とする。【解決手段】  巡回の実施を開始する前に巡回の順番を記憶部１３に設定しておく。医療従事者が巡回を実施する際に、設定された巡回の順番に従って患者情報を表示部１６に表示し、巡回を完了した患者については、その患者情報に対応する巡回が完了したことを示す完了情報が付される。そして、巡回が完了していない患者の病室に家族が在室しているか否かを調べ、家族が在室している病室の患者については、巡回が完了していない他の患者よりも巡回の順番を優先して表示部１６に表示するようにしている。これにより、表示を見た医療従事者は、家族が来ている患者のところへ優先して巡回することができるので、巡回した際に家族と直接話す機会を多くすることができる。【選択図】        図１
2009289146.tif 000002
【特許請求の範囲】
【請求項１】
複数の患者に対して巡回を実施する際に医療従事者により携行される看護支援装置であって、
前記複数の患者をそれぞれ示す患者情報を記憶するとともに、前記巡回を実施する順番を示す順番情報を前記患者情報に対応付けて記憶する記憶部と、
前記巡回を完了した患者を指定する患者指定部と、
前記患者指定部により指定された患者の患者情報に前記巡回が完了したことを示す完了情報を付加する情報付加部と、
前記患者が居る病室に前記患者の家族が在室しているか否かを前記病室毎に判定する在室判定部と、
前記巡回を開始する際に操作される巡回開始操作部と、
前記順番情報に従って、前記巡回する患者の患者情報を表示する表示部と、
前記巡回開始操作部が操作された場合に、前記患者が居る病室に前記患者の家族が在室していると前記在室判定部にて判断したときに、前記家族が在室している病室に居る患者の患者情報を前記記憶部から抽出し、抽出した患者情報に対応付けられている順番情報を最小の値に更新して前記表示部に表示させるとともに、前記患者指定部が操作された場合に、前記完了情報が付加された患者情報を前記巡回の対象から除き、残りの患者情報を対象として、前記患者が居る病室に前記患者の家族が在室していると前記在室判定部にて判断したときに、前記家族が在室している病室に居る患者の患者情報を前記記憶部から抽出し、抽出した患者情報に対応付けられている順番情報を最小の値に更新して前記表示部に表示させる制御部と、
を備えたことを特徴とする看護支援装置。
【請求項２】
複数の患者に対して巡回を実施する際に医療従事者により携行される看護支援装置であって、
前記複数の患者をそれぞれ示す患者情報を記憶するとともに、前記複数の患者がそれぞれ居る病室を示す病室情報および前記巡回を実施する順番を示す順番情報を前記患者情報に対応付けて記憶する記憶部と、
前記巡回を完了した患者およびその患者が居る病室の少なくとも一方を指定する患者指定部と、
前記患者指定部により指定された患者の患者情報および病室を示す病室情報の少なくとも一方に前記巡回が完了したことを示す完了情報を付加する情報付加部と、
前記患者が居る病室に前記患者の家族が在室しているか否かを前記病室毎に判定する在室判定部と、
前記巡回を開始する際に操作される巡回開始操作部と、
前記順番情報に従って、前記巡回する患者の患者情報およびその患者情報に対応付けられている病室情報の少なくとも一方を表示する表示部と、
前記巡回開始操作部が操作された場合に、前記患者が居る病室に前記患者の家族が在室していると前記在室判定部にて判断したときに、前記家族が在室している病室に居る患者の患者情報を前記記憶部から抽出し、抽出した患者情報に対応付けられている順番情報を最小の値に更新して、前記巡回する患者の患者情報およびその患者情報に対応付けられている病室情報の少なくとも一方を前記表示部に表示させるとともに、前記患者指定部が操作された場合に、前記完了情報が付加された患者情報を前記巡回の対象から除き、残りの患者情報を対象として、前記患者が居る病室に前記患者の家族が在室していると前記在室判定部にて判断したときに、前記家族が在室している病室に居る患者の患者情報を前記記憶部から抽出し、抽出した患者情報に対応付けられている順番情報を最小の値に更新して、前記巡回する患者の患者情報およびその患者情報に対応付けられている病室情報の少なくとも一方を前記表示部に表示させる制御部と、
を備えたことを特徴とする看護支援装置。
【発明の詳細な説明】
【技術分野】
【０００１】
本発明は、病院などの医療機関において、医師や看護師などの医療従事者の看護業務を支援するための看護支援装置に関する。
【背景技術】
【０００２】
従来、医療従事者は、患者の状態を確認したり、患者の体温などのバイタル検査を行ったりするために患者が居る病室を巡回する巡回業務を行っている。巡回業務は、朝、昼、晩などの所定の時刻に行われる。なお、医療従事者による巡回業務を支援する技術の一つとして特許文献１に記載の看護支援システムが知られている。
【特許文献１】特開２００３−３３７８６３号公報
【０００３】
特許文献１に記載の看護支援システムでは、入院患者の中から医療従事者が担当する患者を選択してグループ化するとともに、患者の病棟や病室の位置などを考慮して巡回を行う順番を決めている。
【０００４】
ところで、医療従事者は、巡回した際に患者の家族や見舞人など（以下、単に家族とする）に患者の状態などを直接話すことで、家族とコミュニケーションを取っていることが多い。しかしながら、家族がいつ患者のところに来るのか不明であるケースが多いため、患者が居る病室に医療従事者が向かった段階で、家族が病室からすでに退室してしまっているなど、家族が病室に在室しているタイミングと医療従事者が病室を巡回するタイミングとが合わないケースが生じることから、医療従事者は、巡回した際に家族と直接話す機会が少なくなってしまうという問題があった。
【発明の開示】
【発明が解決しようとする課題】
【０００５】
本発明は、このような問題を解決するために成されたものであり、医療従事者が巡回した際に家族と直接話す機会を多くすることを目的とする。
【課題を解決するための手段】
【０００６】
上述した課題を解決するために、本発明の看護支援装置では、巡回の実施を開始する前に巡回の順番を設定しておく。医療従事者が巡回を実施する際に、設定された巡回の順番に従って患者情報を表示し、巡回を完了した患者については、その患者情報に巡回が完了したことを示す情報が付される。そして、巡回が完了していない患者の病室に家族が在室しているか否かを調べ、家族が在室している病室の患者については、巡回が完了していない他の患者よりも巡回の順番を優先して表示するようにしている。
【０００７】
また、本発明の他の態様によれば、医療従事者が巡回を実施する際に、設定された巡回の順番に従って病室情報を表示するようにしている。
【発明の効果】
【０００８】
上記のように構成した本発明によれば、医療従事者が次に巡回すべき患者の患者情報を表示する際に、家族が病室を訪れている患者の患者情報が、巡回の完了していない他の患者よりも巡回の順番を優先して表示されるので、表示を見た医療従事者は、家族が来ている患者のところへ優先して巡回することができる。これにより、医療従事者は、巡回した際に家族と直接話す機会を多くすることができる。
【０００９】
また、本発明の他の態様によれば、医療従事者が次に巡回すべき患者の病室情報を表示する際に、家族が病室を訪れている患者の病室情報が、巡回の完了していない他の患者よりも巡回の順番を優先して表示されるので、表示を見た医療従事者は、家族が来ている患者のところへ優先して巡回することができる。
【発明を実施するための最良の形態】
【００１０】
以下、本発明の一実施形態を図面に基づいて説明する。本実施形態による看護支援装置１０を含む看護支援システムの構成例を示すブロック図を図１に示す。同図に示すように、本実施形態による看護支援装置１０を含む看護支援システムは、他に家族検知部１、順番指定部２を備えて構成されている。また、看護支援装置１０は、制御部１１、インターフェース（以下、Ｉ／Ｆとする）部１２、記憶部１３、巡回開始操作部１４、患者指定部１５、表示部１６を備えて構成されている。また、制御部１１は、情報付加部１１ａ、在室判定部１１ｂを備えて構成されている。ここで、本実施形態の看護支援装置１０は、パソコンやＰＤＡなどにより実現される。なお、本実施形態の看護支援装置１０は、パソコンやＰＤＡ単体で構成しても良いし、パソコンやＰＤＡなどの端末装置とそれらを接続するサーバとにより構成しても良い。
【００１１】
家族検知部１は、患者が居る病室にその患者の家族が居る場合に、それを検知するものである。ここで、家族検知部１としては、例えばセンサまたはＩＣタグリーダなどが用いられている。また、家族検知部１は、病室の出入口付近に設置され、患者の家族が病室に入室または退室することを検知する。また、家族検知部１としてＩＣタグリーダを用いる場合には、患者の家族は、ＩＣタグを携行する必要がある。なお、家族検知部１として、在室ボタンを用いるようにしても良い。この場合、患者の家族が在室ボタンを押下したときに、家族検知部１は、患者の家族の入室を検知し、患者の家族が再度在室ボタンを押下したときに、家族検知部１は、患者の家族の退室を検知する。
【００１２】
順番指定部２は、医療従事者が患者を巡回する順番を示す順番情報を指定するためのものである。具体的には、順番指定部２は、後述する記憶部１３に予め記憶しておいた患者情報をリスト表示する。患者情報のリストが表示されると、医療従事者は、巡回を実施する順番に患者情報を選択することができる。医療従事者が患者情報を順番に選択すると、順番指定部２は、医療従事者により選択された患者情報のうち、一番目に選択された患者情報に番号２を付し、二番目に選択された患者情報に番号３を付す。そして、選択された順番に従って番号４以降の番号を患者情報に付す。制御部１１は、各番号を示す順番情報を患者情報に対応付けて記憶部１３に記憶する。なお、上述した実施形態では、順番指定部２は、リスト表示された患者情報を医療従事者が選択することによって順番情報を指定しているが、これに限定されない。例えば、順番指定部２は、病室の配置などから順番情報を自動的に決定するようにしても良い。
【００１３】
制御部１１は、看護支援装置１０の各構成要素を後述するように制御する。Ｉ／Ｆ部１２は、看護支援装置１０が家族検知部１との間で通信するために図示しない家族検知用Ｉ／Ｆ部に接続されている。また、Ｉ／Ｆ部１２は、看護支援装置１０が順番指定部２との間で通信するために図示しない順番指定用Ｉ／Ｆ部に接続されている。
【００１４】
記憶部１３は、図２（ａ）に示すように、患者氏名領域３１、順番領域３２、在室領域３３、完了領域３４を格納している。ここで、記憶部１３は、患者氏名領域３１〜完了領域３４を対応付けて記憶している。患者氏名領域３１には、患者の氏名などを示す患者情報（例えば、山田太郎、佐藤花子、田中次郎、鈴木三郎など）が格納されている。順番領域３２には、患者に対して医療従事者が巡回を実施する順番を示す順番情報（例えば、山田太郎に対して２、佐藤花子に対して３、田中次郎に対して４、鈴木三郎に対して５）が格納されている。ここで、順番情報が示す数字は、最小の値を１とした自然数が用いられる。また、初期設定時には、医療従事者が最初に巡回を実施する患者に対する値を２とし、以下、巡回の順番に従って、３以降の自然数を昇順で設定している。そのため、初期設定時には、順番情報の最小の値が２となる。これは、巡回の開始時に巡回を優先して実施する患者の順番情報を１の値に更新するため、初期設定時に順番情報として１の値を使用していない必要があるからである。
【００１５】
在室領域３３には、患者が居る病室に患者の家族が在室しているか否かを示す在室情報（例えば、山田太郎に対して０、佐藤花子に対して０）が格納されている。ここで、在室情報の値は、該当する患者の家族が病室に在室していない場合に０となり、該当する患者の家族が病室に在室している場合に１となる。また、初期設定時の在室情報の値は０としている。また、在室情報の値は、制御部１１の動作により更新される。完了領域３４には、患者に対して巡回が完了したことを示す完了情報（例えば、山田太郎に対して０、佐藤花子に対して０）が格納されている。ここで、完了情報の値は、該当する患者の巡回が完了していない場合に０となり、該当する患者の巡回が完了している場合に１となる。また、初期設定時の完了情報の値は０としている。また、完了情報の値は、後述する情報付加部１１ａの動作により更新される。図２（ｂ）および図２（ｃ）は、順番情報の値、在室情報の値および完了情報の値が更新された場合の記憶部１３の記憶内容を示す図である。
【００１６】
巡回開始操作部１４は、患者に対して医療従事者が巡回を開始する際に操作されるものである。具体的には、巡回開始操作部１４を医療従事者が操作すると、制御部１１は、記憶部１３を参照し、在室情報の値が１となっている患者情報が存在するか否かを判定する。在室情報の値が１となっている患者情報が存在すると制御部１１にて判断した場合に、制御部１１は、その患者情報を抽出し、抽出した患者情報に対応する順番情報を最小の値である１に更新する。そして、制御部１１は、順番情報の値が１となっている患者情報を取得して最初に巡回する患者として表示部１６に表示させる。一方、在室情報の値が１となっている患者情報が存在しないと制御部１１にて判断した場合に、制御部１１は、順番情報の値が２となっている患者情報を取得して最初に巡回する患者として表示部１６に表示させる。
【００１７】
ここで、制御部１１は、巡回開始操作部１４が操作された際に、在室情報の値が１となっている患者情報をすべて抽出し、抽出したすべての患者情報に対応する順番情報を最小の値である１に更新する。また、在室情報の値が１となっている患者情報が複数存在する場合には、制御部１１は、抽出した患者情報のうち、記憶部１３に初期に設定された順番情報の値に基づいて、在室情報の値が１となっている患者情報の順番を決定して表示部１６に表示させる。
【００１８】
患者指定部１５は、医療従事者が巡回を完了した患者を指定する際に操作されるものである。具体的には、ある患者に対して巡回を完了した際に、医療従事者が患者指定部１５を操作すると、患者指定部１５は、巡回する患者として表示部１６に表示されている患者を巡回が完了した患者として指定する。このとき制御部１１は、後述する情報付加部１１ａを動作させて、完了情報の値を更新する処理を実行させる。その後、制御部１１は、記憶部１３を参照し、完了情報の値が１となっている患者情報を巡回の対象から除き、残りの患者情報（換言すると、完了情報の値が０となっている患者の患者情報）を対象として、在室情報の値が１となっている患者情報が存在するか否かを判定する。そして、順番情報の値が１となっている患者情報が存在すると制御部１１にて判断した場合に、制御部１１は、その患者情報を抽出し、抽出した患者情報に対応する順番情報を最小の値である１に更新する。そして、制御部１１は、順番情報の値が１となっている患者情報を取得して次に巡回する患者として表示部１６に表示させる。一方、順番情報の値で１が存在しない場合に、制御部１１は、残りの患者情報に対応付けられている順番情報の値が一番小さい患者情報を取得して表示部１６に表示させる。
【００１９】
ここで、制御部１１は、患者指定部１５が操作された際に、在室情報の値が１となっている患者情報をすべて抽出し、抽出したすべての患者情報に対応する順番情報を最小の値である１に更新する。また、在室情報の値が１となっている患者情報が複数存在する場合には、制御部１１は、抽出した患者情報のうち、記憶部１３に初期に設定された順番情報の値に基づいて、在室情報の値が１となっている患者情報の順番を決定して表示部１６に表示させる。
【００２０】
表示部１６は、医療従事者が次に巡回すべき患者の患者情報を表示するものであり、表示ディスプレイなどにより構成されている。
【００２１】
情報付加部１１ａは、患者指定部１５にて指定された完了情報を記憶部１３に予め記憶しておいた患者情報に付加する。具体的には、医療従事者が患者指定部１５を操作した際に、情報付加部１１ａは、患者指定部１５にて指定された患者の患者情報に対応する完了情報の値を１に更新して記憶部１３に記憶する。
【００２２】
在室判定部１１ｂは、患者が居る病室に患者の家族が在室しているか否かを判定する。ここで、在室判定部１１ｂは、家族検知部１による検知の有無により判定を行う。患者の家族が病室に入室したことを家族検知部１が検知したと在室判定部１１ｂにて判断した場合に、制御部１１は、該当する患者の患者情報に対応する在室情報の値を１に更新して記憶部１３に記憶する。一方、患者の家族が病室から退室したことを家族検知部１が検知したと在室判定部１１ｂにて判断した場合に、制御部１１は、該当する患者の患者情報に対応する在室情報の値を０に更新して記憶部１３に記憶する。
【００２３】
例えば、図２（ａ）に示す初期設定時の状態で医療従事者が巡回開始操作部１４を操作した場合に、制御部１１は、記憶部１３を参照し、在室情報の値が１となっている患者情報が存在するか否かを判定する。このとき、家族検知部１が佐藤花子の病室に家族が居ることを検知し、在室判定部１１ｂが佐藤花子の病室に家族が在室していると判断した場合には、制御部１１は、佐藤花子の患者情報に対応する在室情報の値を０から１へと更新する。そして、制御部１１は、佐藤花子の患者情報を抽出し、抽出した佐藤花子の患者情報に対応する順番情報の値を３から最小の値である１へと更新する。従って、図２（ｂ）に示すように、制御部１１は、一番目に佐藤花子、二番目に山田太郎、三番目に田中次郎、四番目に鈴木三郎を表示部１６に順番に表示させるようにしている。
【００２４】
一番目の佐藤花子に対して医療従事者が巡回を実施している際に、三番目の巡回先である田中次郎の家族および四番目の巡回先である鈴木三郎の家族がそれぞれの病室を訪れると、家族検知部１がそれを検知する。在室判定部１１ｂは、それぞれの病室に田中次郎の家族および鈴木三郎の家族が在室していると判断する。すると、制御部１１は、田中次郎の患者情報に対応する在室情報の値および鈴木三郎の患者情報に対応する在室情報の値を０から１へとそれぞれ更新する。その状態で、佐藤花子に対して巡回が完了し、医療従事者が患者指定部１５を操作すると、情報付加部１１ａは、佐藤花子の患者情報に対応する完了情報の値を０から１へと更新する。
【００２５】
一方、制御部１１は、記憶部１３を参照し、在室情報の値が１となっている患者情報が存在するか否かを判定する。このとき、田中次郎の患者情報および鈴木三郎の患者情報に対応する在室情報の値がそれぞれ１となっているので、制御部１１は、田中次郎の患者情報および鈴木三郎の患者情報を抽出し、抽出した田中次郎の患者情報に対応する順番情報の値を４から最小の値である１へと更新するとともに、抽出した鈴木三郎の患者情報に対応する順番情報の値を５から最小の値である１へと更新する。このとき、制御部１１は、図２（ａ）に示す初期設定時の順番に基づいて田中次郎を鈴木三郎よりも優先して表示部１６に表示するように制御する。従って、図２（ｃ）に示すように、制御部１１は、既に巡回が完了した佐藤花子を除いて、一番目に田中次郎、二番目に鈴木三郎、三番目に山田太郎を表示部１６に表示させる。
【００２６】
次に、本実施形態による看護支援装置１０の動作を説明する。図３は、本実施形態による看護支援装置１０を含む看護支援システムの動作を示すフローチャートである。同図に示すように、まず制御部１１は、医療従事者による順番指定部２の操作により巡回の順番の初期設定が行われたか否かを判定する（ステップ３０１）。初期設定が行われていないと制御部１１にて判断した場合には（ステップ３０１にてＮＯ）、ステップ３０１の処理を繰り返す。一方、初期設定が行われたと制御部１１にて判断した場合には（ステップ３０１にてＹＥＳ）、制御部１１は、医療従事者による巡回開始操作部１４の操作により巡回が開始されたか否かを判定する（ステップ３０２）。巡回が開始されていないと制御部１１にて判断した場合には（ステップ３０２にてＮＯ）、ステップ３０２の処理を繰り返す。
【００２７】
一方、巡回が開始されたと制御部１１にて判断した場合には（ステップ３０２にてＹＥＳ）、在室判定部１１ｂは、患者が居る病室に患者の家族が在室しているか否かを判定する（ステップ３０３）。患者が居る病室に患者の家族が在室していると在室判定部１１ｂにて判断した場合には（ステップ３０３にてＹＥＳ）、制御部１１は、家族が在室している病室の患者を特定し、その患者の患者情報に対応する在室情報の値を１に更新して記憶部１３に記憶する（ステップ３０４）。
【００２８】
制御部１１は、記憶部１３を参照して、完了情報の値が０であり、在室情報の値が１となっている患者情報をすべて抽出する（ステップ３０５）。そして、制御部１１は、完了情報の値が０であり、在室情報の値が１となっている患者情報が複数存在するか否かを判定する（ステップ３０６）。完了情報の値が０であり、在室情報の値が１となっている患者情報が複数存在していない（換言すると、完了情報の値が０であり、在室情報の値が１となっている患者情報が一つだけ存在する）と制御部１１が判断した場合には（ステップ３０６にてＮＯ）、ステップ３１０の処理へ移る。一方、完了情報の値が０であり、在室情報の値が１となっている患者情報が複数存在していると制御部１１にて判断した場合には（ステップ３０６にてＹＥＳ）、制御部１１は、抽出した患者情報のうち、記憶部１３に初期に設定された順番情報の値に基づいて巡回が最も優先される一つの患者情報を取得し（ステップ３０７）、ステップ３１０の処理へ移る。
【００２９】
また、患者が居る病室に患者の家族が在室していないと在室判定部１１ｂにて判断した場合には（ステップ３０３にてＮＯ）、制御部１１は、記憶部１３を参照して、完了情報の値が０となっている患者情報をすべて抽出する（ステップ３０８）。制御部１１は、抽出した患者情報のうち、順番情報の値が最小の値である患者情報を取得し（ステップ３０９）、ステップ３１０の処理へ移る。
【００３０】
ステップ３１０では、制御部１１は、巡回する患者として取得した患者情報を表示部１６にて表示する。その後、表示部１６に表された患者情報に該当する患者への巡回が完了したか否か（換言すると、医療従事者により患者指定部１５が操作されたか否か）を判定する（ステップ３１１）。その患者への巡回が完了していない（換言すると、医療従事者により患者指定部１５が操作されていない）と制御部１１にて判断した場合には（ステップ３１１にてＮＯ）、ステップ３１１の処理を繰り返す。一方、その患者への巡回が完了した（換言すると、医療従事者により患者指定部１５が操作された）と制御部１１にて判断した場合には（ステップ３１１にてＹＥＳ）、情報付加部１１ａは、該当する患者情報に対応する完了情報の値を１に更新して記憶部１３に記憶する（ステップ３１２）。
【００３１】
そして、制御部１１は、記憶部１３を参照して、すべての患者情報に対応する完了情報の値が１となっているか否かを判定する（ステップ３１３）。すべての患者情報に対応する完了情報の値が１となっていると制御部１１にて判断した場合には（ステップ３１３にてＹＥＳ）、制御部１１は、すべての患者に対して巡回が完了したと判断して動作を終了する。一方、すべての患者情報に対応する完了情報の値が１となっていないと制御部１１にて判断した場合には（ステップ３１３にてＮＯ）、ステップ３０３の処理に戻り、ステップ３０３〜ステップ３１３の処理を繰り返す。
【００３２】
以上、詳しく説明したように、本実施形態の看護支援装置１０では、巡回の実施を開始する前に巡回の順番を記憶部１３に設定しておく。医療従事者が巡回を実施する際に、設定された巡回の順番に従って患者情報を表示部１６に表示し、巡回を完了した患者については、その患者情報に対応する巡回が完了したことを示す完了情報が付される。そして、巡回が完了していない患者の病室に家族が在室しているか否かを調べ、家族が在室している病室の患者については、巡回が完了していない他の患者よりも巡回の順番を優先して表示部１６に表示するようにしている。これにより、表示を見た医療従事者は、家族が来ている患者のところへ優先して巡回することができるので、巡回した際に家族と直接話す機会を多くすることができる。
【００３３】
なお、上述した実施形態では、制御部１１は、次に巡回すべき患者を一件ずつ表示部１６に表示させているが、これに限定されない。例えば、制御部１１は、巡回を行うすべての患者を巡回する順番に従って表示部１６に表示させるようにしても良い。また、このような場合において、次に巡回すべき患者を強調して表示部１６に表示させるようにしても良い。
【００３４】
また、上述した実施形態では、制御部１１は、巡回先の患者を示す患者情報を表示部１６に表示させているが、これに限定されない。例えば、制御部１１は、巡回先の患者が居る病室を示す病室情報を表示部１６に表示するようにしても良い。この場合、記憶部１３は、患者情報と病室情報とを対応付けて予め記憶しておく必要がある。
【００３５】
また、上述した実施形態では、患者が居る病室に患者の家族が在室していると在室判定部１１ｂにて判断した場合に、制御部１１は、家族が在室している患者の患者情報に対応する順番情報を最小の値である１に更新して、次に巡回を実施すべき患者としてその患者の氏名を表示部１６に表示させているが、これに限定されない。例えば、患者が居る病室に患者の家族が在室していると在室判定部１１ｂにて判断した場合に、制御部１１は、家族が在室している患者の患者情報に対応する順番情報を最大の値（換言すると、順番情報の値が一番大きい値よりも大きい値）に更新して、次に巡回を実施すべき患者として他の患者の氏名を表示部１６に表示させるようにしても良い。
【００３６】
ここで、本変形例が適用される背景として、次のような内容が挙げられる。医療従事者は、予め決めておいた順番に基づいて病室を巡回して病室内の清掃を実施している。しかしながら、医療従事者が病室に向かった段階で、患者の家族が病室に在室しているなど、家族が病室に在室しているタイミングと医療従事者が病室を巡回するタイミングとが合った場合に、医療従事者は、病室内の清掃を実施することができなくなってしまう虞があるという問題があった。本変形例は、このような問題を解決するために成されたものである。
【００３７】
そして、本変形例を適用することにより、医療従事者が次に巡回すべき患者の患者情報を表示する際に、家族が病室を訪れていない患者の患者情報が、巡回の完了していない他の患者よりも巡回の順番を優先して表示されるので、表示を見た医療従事者は、患者の家族が来ていない患者のところを優先して清掃することができる。
【００３８】
その他、看護支援装置１０を含む看護支援システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３９】
【図１】本実施形態による看護支援装置を含む看護支援システムの構成例を示すブロック図である。
【図２】本実施形態による看護支援装置の記憶部の記憶内容例を示す説明図である。
【図３】本実施形態による看護支援装置を含む看護支援システムの動作を示すフローチャートである。
【符号の説明】
【００４０】
１      家族検知部
２      順番指定部
１０    看護支援装置
１１    制御部
１１ａ  情報付加部
１１ｂ  在室判定部
１２    インターフェース（Ｉ／Ｆ）部
１３    記憶部
１４    巡回開始操作部
１５    患者指定部
１６    表示部
３１    患者氏名領域
３２    順番領域
３３    在室領域
３４    完了領域
【図１】
2009289146.tif 000003
【図２】
2009289146.tif 000004
【図３】
2009289146.tif 000005